(57)【要約】【課題】立地環境の諸条件に基づいてまち全体と各部位とが有機的に連続できるようにそれぞれの部位の植栽機能にバランス良く整合性を持たせた植栽を行うこと。資源エネルギーの有効利用を図ること。【解決手段】微気候を考慮したまちづくりの緑化方法であって、まち外周１の緑化を行う第１工程と、宅内道路２の緑化を行う第２工程と、宅地３内の緑化を行う第３工程とを有する。第１工程、第２工程及び第３工程の各工程では、立地環境の諸条件に基づいてまち全体と各部位とが有機的に連続できるようにそれぞれの部位の植栽機能にバランス良く整合性を持たせた植栽を行う。【選択図】図２
2007104972.tif 000002
【特許請求の範囲】
【請求項１】
微気候を考慮したまちづくりの緑化方法であって、
まち外周の緑化を行う第１工程と、宅内道路の緑化を行う第２工程と、宅地内の緑化を行う第３工程とを有し、
前記第１工程、第２工程及び第３工程の各工程では、立地環境の諸条件に基づいてまち全体と各部位とが有機的に連続できるようにそれぞれの部位の植栽機能にバランス良く整合性を持たせた植栽を行うことを特徴とする、微気候を考慮したまちづくりの緑化方法。
【請求項２】
前記宅内道路の緑化を行う第２工程では、宅内道路の十字路及びＴ字路について、道路に沿って流れる風速を調整可能な樹種及び植栽密度にすることを特徴とする、請求項１に記載の微気候を考慮したまちづくりの緑化方法。
【請求項３】
前記宅内道路の緑化を行う第２工程では、宅内道路に沿って植栽する樹種を落葉樹とすることを特徴とする、請求項１又は２に記載の微気候を考慮したまちづくりの緑化方法。
【請求項４】
前記宅地内の緑化を行う第３工程では、建物の南面側に、南面天蓋を形成するための落葉広葉樹を植栽することを特徴とする、請求項１〜３の何れかに記載の微気候を考慮したまちづくりの緑化方法。
【請求項５】
前記宅地内の緑化を行う第３工程では、建物の東西面側に、低い角度からの太陽放熱を遮るための下枝の多い落葉広葉樹を植栽することを特徴とする、請求項１〜３の何れかに記載の微気候を考慮したまちづくりの緑化方法。
【請求項６】
前記宅地内の緑化を行う第３工程では、敷地面積の２０％以上の植栽を行うことを特徴とする、請求項１〜５の何れかに記載の微気候を考慮したまちづくりの緑化方法。
【発明の詳細な説明】
【技術分野】
【０００１】
本発明は、微気候を考慮したまちづくりの緑化方法関する。
【背景技術】
【０００２】
かつて資源エネルギーを利用できなかった時代、人々は暑さ寒さを少しでも和らげ、気持ちよく過ごそうといろいろな工夫をしてきた。住まいは現在のように内外が明確に区切られていなかったため、周辺の自然環境と有機的に連続していた。そして、水や緑、風、太陽など自然エネルギーの恵みを借りて、住まいの周辺環境の微気候を冬は暖かく、夏は涼しく変化させる知恵があった。特に樹木には周辺の気候を緩和する微気候形成の機能があり、家のまわりにヒューマンスケールの気候を作り上げていた。
【０００３】
しかし現代では、植栽が果たしてきた機能が住宅設備などに置き換えられるようになり、主に審美的な対象として据えられるようになった。見た目の美しさといった審美的機能にウエイトが偏り、微気候形成機能の役割が小さくなってしまった。その為、生活環境を向上させる上での重要な役割である、微気候にはほとんど配慮されていないのが現状である。
【０００４】
例えば、近年の住宅団地開発は、計画地の自然環境や社会環境に配慮することは希で、販売や利益を優先させた事業計画が一般的であり、その結果として、時間の経過とともに良質な町並みが形成されることは皆無といっても良いような現状である。
【０００５】
一方、全国各地に現存している伝統的なまちや集落は、地域の自然環境に寄り添うような、美しい佇まいを残す例が多く見受けられる。その建物周辺環境には、気候風土や立地環境を考慮した緑化など、蒸し暑い夏と厳しい冬に対して心地よく暮らせるよう、数々の工夫をかいま見ることができる。
【０００６】
７０年代のエネルギー危機、８０年代の地球環境問題を経て、環境と共存した住まいづくり・まちづくりが求められるようになってきた。しかし、エコロジカルな時代に適合するような、自然環境や生態系に配慮し、健康的で住み手に愛着がわいてくるようなまちづくりはどのようにしたらよいのか、その開発手法はいまだ明確ではない。
【０００７】
近年のまちづくりにおける計画素地は、伝統的なそれとは異なり条件が大きく変化している。埋め立て地や原野のように新たに居住環境と自然環境をつくる場合、地形や植生を破壊した造成宅地、里山や林地などの環境を活用したまちづくりなど、多岐にわたっている。
【０００８】
このような問題は個々の住宅レベルで推進していくことよりも、周辺環境を含むまち全体として行うことが重要かつ効果的であり、それにより環境問題の改善を図れることが予想される。例えば、大規模なまちづくり計画地の造成を行う場合においては、計画地全体に微気候が効果的に形成されるように設計し造成する必要がある。従来においても、山林斜面の緑地を利用することや、その地に生えている自然林地帯の自然林を公園の緑として利用することなどが行われていた（例えば、特許文献１参照）。
【０００９】
【特許文献１】特開２００２−２２０８３９
【００１０】
しかしながら、上記従来例においては、樹木を調達して植栽するためのコスト削減および景観には配慮されていたが、微気候が効果的に形成される植栽方法については配慮されていなかった。また、人間は他の生物と同様に気候風土に合致するよう長い時間をかけて進化してきたが、最近における住宅内のあまりにも変化のない均質な人工環境調整は生物学的に不健康であるという指摘もされている。
【００１１】
このような視点から、住宅の室内環境は空気調和など人工的な手法での環境調整を主体として考えるのではなく、その地域の気候風土の特性を活かした自然気候調節を主とし、それだけではカバーしきれない夏の暑さ、冬の寒さに対して人工的な手段で補う必要性がある。したがって、これからのまちづくりは資源エネルギーに依存しすぎることなく、樹木のもつ潜在的な微気候形成機能を活用した総合的な環境整備が必要である。
【発明の開示】
【発明が解決しようとする課題】
【００１２】
以上の点を考慮した上でのまちづくりの緑化に際しては、夏涼しく冬暖かい微気候が形成されるようにするために、特に次のような点について配慮することが重要である。即ち、まちの外周、宅地内道路、宅地の緑化、それぞれの部位にどのような役割を持たせるのかは、立地環境の諸条件を考慮して決定する必要がある。また各部位の植栽機能にバランスよく整合性をもたせ、まち全体としてそれぞれの部位がどのように有機的に連続できるか、部分と全体を常に考えながら計画することが重要である。
【００１３】
本発明の課題は、立地環境の諸条件に基づいてまち全体と各部位とが有機的に連続できるようにそれぞれの部位の植栽機能にバランス良く整合性を持たせた植栽を行うことができる緑化方法の技術を提供することにある。
【課題を解決するための手段】
【００１４】
本発明は、微気候を考慮したまちづくりの緑化方法であって、まち外周の緑化を行う第１工程と、宅内道路の緑化を行う第２工程と、宅地内の緑化を行う第３工程とを有し、前記第１工程、第２工程及び第３工程の各工程では、立地環境の諸条件に基づいてまち全体と各部位とが有機的に連続できるようにそれぞれの部位の植栽機能にバランス良く整合性を持たせた植栽を行うことを特徴とする。
【００１５】
本発明において、前記宅内道路の緑化を行う第２工程では、宅内道路の十字路及びＴ字路について、道路に沿って流れる風速を調整可能な樹種及び植栽密度にすることが望ましい。
【００１６】
本発明において、前記宅内道路の緑化を行う第２工程では、宅内道路に沿って植栽する樹種を落葉樹とすることが望ましい。
【００１７】
本発明において、前記宅地内の緑化を行う第３工程では、建物の南面側に、南面天蓋を形成するための落葉広葉樹を植栽することが望ましい。
【００１８】
本発明において、前記宅地内の緑化を行う第３工程では、建物の東西面側に、低い角度からの太陽放熱を遮るための下枝の多い落葉広葉樹を植栽することが望ましい。
【００１９】
本発明において、前記宅地内の緑化を行う第３工程では、敷地面積の２０％以上の植栽を行うことが望ましい。
【発明の効果】
【００２０】
本発明によれば、まちづくり計画地内全体に微気候を長期的かつ最大限に形成することが可能となり、まちづくり計画地内全体を快適で健康的な生活環境とすることができる。また、樹木による自然エネルギーの利用が図られることで、建物内の冷暖房等の使用を減らすことができ、資源エネルギーの大幅な削減を図ることができる。これにより、温暖化現象などの地球環境問題に配慮された、環境と共生可能なまちづくりとすることができる。
【発明を実施するための最良の形態】
【００２１】
以下、本発明の好適な実施の形態について、図面を参照して説明する。
図１は、まちづくりの緑化の考え方を示す説明図である。
【００２２】
＜エコロジカルな時代のまちづくりの考え方＞
計画地の自然環境や社会環境および立地条件への配慮に欠いたまつづくりは、時間の経過とともに良好な町並みが形成されることはまれであった。こうしたまちは、経済成長に伴った急激な消費文化やライフスタイルの変化によって、住み手の愛着が失われ、スクラップ＆ビルドされるケースもあり、資源循環の点からも限界がきている。
【００２３】
エコロジカルな時代のまちづくりの基本として重要なことは、地域の気候風土、文化、社会環境に適合し、良好なコミュニティー意識（向こう三軒両隣）が住み手に熟成され、愛着がわくような緑豊かなまちづくりに力点を置いた計画が時代の潮流になる。
【００２４】
持続可能な循環型社会構築に向けて、気持ちよい生活環境を創造するためには、図１に示すように、立地環境の諸条件を正確に把握し、そのポテンシャルを最大限に活用したコンセプトを確立し、基本計画を立てた上で、まちづくりを行うことが重要である。
【００２５】
＜緑化の考え方＞
従来のまちづくりの多くは、その立地環境の諸条件を無視した宅地造成が実施されてきた。これによって数百年単位で形成されてきたその自然環境や生態系は破壊され、多様な生物の生息するかけがえのない緑地環境が失われてしまった。このように宅地造成されたまちにおいても、緑化はされているが、それは審美的観点からのみであるため、気候風土にそぐわない樹種の選定であったり、植物本来が持っている多様な機能について配慮した植栽は皆無であった。まちづくりにおいて、夏涼しく冬暖かい微気候が形成されるようにするためには、次のような点について配慮することが重要である。
【００２６】
即ち、図２に示すように、まちの外周１、宅地内道路２、宅地３の緑化、それぞれの部位にどのような役割を持たせるのかは、立地環境の諸条件を考慮して決定する必要がある。また各部位の植栽機能にバランスよく整合性をもたせ、まち全体としてそれぞれの部位がどのように有機的に連続できるか、部分と全体を常に考えながら計画するすることが大切である。
【００２７】
＜まち外周の緑化＞
まち外周の緑化は、そのまちの性格づけや印象づけを強くするため、計画地のまちづくりのビジョンに沿ってすることが望ましい。緑化を決定する重要な要素としては、計画地周辺の文化、歴史的環境、社会的環境と合わせて、居住者のライフスタイル、生活価値などが挙げられる。
【００２８】
気候特性、地理、地形環境を把握した上で、計画地の夏冬の気候において、まちなかへ取り入れたい要素、防ぎたい要素を明確に分けて、まち外周の外構、樹種、植栽方法を検討する。強風が吹き抜ける居住環境は、落ち着きがない。冬の季節風、局地風、台風や低気圧の強風にどのように対応するかは、外周の緑化の大きな問題である。また、寒風を防ぐことは、冬暖かく暮らすための植栽に求められる重要な機能のひとつであり、健康的な居住環境の創造につながる。植物の葉や枝、樹皮などにあたった音は乱反射し、拡散される。また、葉の擦れ合う音や野鳥のさえづりは耳に心地よく響き、騒音が自然音でマスキングされる。
【００２９】
以上の点から、まち外周の緑化には、図３に示すように、少なくとも、まちの印象付加機能、音の調整機能、強風の調整機能、熱の調整機能、等を発揮できるように配慮することが重要である。
【００３０】
＜宅内道路の緑化＞
道路は風の通り道になるため、緑化はその緩和に有効である。宅内道路は冬の季節風の方向と平行にならないような道路設計が望ましいが、道路沿いの並木や緑道は風の乱流を発生させ、風力の減衰効果を発揮する。十字路やＴ字路、直線部の道路と比べ風速が強くなる傾向があるので、樹種、植栽密度に配慮する必要がある。
【００３１】
夏季、道路の日射遮蔽を緑化によって行うと、まちには良好な微気候が形成され、それは室内気候の改善に大きく寄与する。また、冬季には路面への日射取得ができるように、落葉樹を植栽することが望ましい。落ち葉はきは、コミュニティーの人間関係形成に良い影響を及ぼすという効果も期待できる。
【００３２】
道路沿いの緑化は樹木の蒸散作用により、気温の安定化につながる。また緑化と併せて路面舗装材は透水性、保水性のある素材を選択すると、路面からの蒸発冷却効果により、路面からの表面温度が低下し、路面からの熱放射を緩和させる。
落ち着いた居住環境をつくるためには、光についても配慮することが大切である。
植栽することにより、街路灯や車のヘッドライトの眩光防止に役立つからである。
【００３３】
以上の点から、宅内道路の緑化には、図４に示すように、少なくとも、風の調整機能、日射の調整機能、熱／温度の調整機能、眩光防止機能、等を発揮できるように配慮することが重要である。
【００３４】
＜宅地内の緑化＞
（落葉広葉樹による南面天蓋）
落葉広葉樹は太陽放射熱を季節に応じてコントロールし、気持ちの良い生活環境を維持する。落葉広葉樹は日射量の増加する春から夏にかけて葉を密に茂らせ、陽射しの約９０％を遮るというデータもある。そして冬、気温が下がり室内に太陽熱を取り入れたいときに葉を落とし、太陽放射熱の進入を遮ることはなくなる。つまり、落葉広葉樹は、その土地の気候の変化にうまく対応できる自動開閉パラソル機能を発揮する。
【００３５】
（低い日射を防ぐ東西面の植栽）
夏季、東西の壁面への日射量は南面の３倍ほどもあり、東西面の日射遮蔽を怠ると、壁面を伝導した日射熱により室温が上昇する。住宅の東西面に注ぐ太陽放射熱を遮るためには、南面と異なる樹種を用いるのが効果的である。低い角度からの熱線に強く、下枝の多いモミジやエゴノキなどの落葉広葉樹が適している。
【００３６】
（通風誘引）
夏季室内に風を通すと、涼しさが体感できる。皮膚に風が当たると熱が奪われ、汗が蒸発するとさらに体感温度は下がる。夏の風向を読み、窓の開け方や風を誘引する植栽に配慮する。
【００３７】
以上の点から、宅地内の緑化には、図５に示すように、少なくとも、日射遮蔽（夏）機能、日射取得（冬）機能、低い陽射しを防ぐ機能（東西の植栽）、通風誘引機能、等を発揮できるように配慮することが重要である。
【００３８】
＜日射のコントロール＞
図６に示すように、日射のコントロールの効果は、樹種によって大きな違いがある。その差に極端なひらきがあるのは落葉樹と常緑樹である。落葉樹のなかにも広葉と針葉があり、日射の調整度合いが異なるが、基本的には夏は日射を遮り、冬には落葉しているため日射を通す。一方、常緑樹は年間を通して日射を遮蔽するため、樹種の使い分けは微気候に大きな影響を与える。
【００３９】
計画地の緯度経度などによって、日の出から日没までの太陽高度は常に異なる。日射のコントロールにあたっては、その調整をしたい建物部位の季節、時間、方位によってそれぞれ条件が異なるため、天蓋型、卵型、下枝のあるタイプ等の樹形の選択がポイントとなる。日射遮蔽率は樹木の葉密度によって極端なひらきがある。同一樹種でも個体によって２０〜３０％ものひらきがあるため、日射調整のポイントとなる部分の樹木選択は実物を確認する必要がある。
【００４０】
緑豊かなまちづくりには、敷地面積の２０％以上の植栽がポイントとなる。緑被率が２０％前後から緑の豊かさの評価が出始め、それは微気候の改善とあわせて、心理的な影響を人体に与え、夏季はより涼しさを体感できるようになる。
【００４１】
＜熱のコントロール＞
図７に示すように、建物周辺に樹木で日射遮蔽された部分をもうけると、そこが冷熱源となり、夏季採涼に役立つ。夏の卓越風方向にそれがあれば、室内への通風はより気持ち良いものになる。冷熱源が夏の季節風と反対方向にあっても、それは無風時に活用できる。屋根や路面の表面温度が高くなると、そこからの上昇流がきっかけとなり、涼風を室内へ取り込むことが可能となる。
【００４２】
住宅に接近して駐車場がある場合、夏季そこからの熱放射は室内の温熱環境を悪化させる。生垣や緑化フェンスは、室内気候の悪化を緩和する働きがある。冬季、冷たい季節風を建物に直接あてると、外壁が冷やされ室内熱環境の悪化につながる。季節風の吹く方位に常緑樹を植栽すると、樹木と建物の間の空気が動かなくなり、保温断熱としての効果がある。
【００４３】
計画地に隣接して丘陵などがあると、冬季その斜面に沿って冷気の下降流が発生して、まちの微気候が悪化する。斜面の下端に葉密度の高い常緑樹を植栽すると、まちなかへ流入する冷気を止めることが可能になる。
【００４４】
＜風のコントロール＞
（生垣の活用）
図８に示すように、生垣には密なタイプと粗い生垣がある。比較的密な生垣の場合は、風下で風速が１５〜２５％程度に減速したというデータもある。また、風速は生垣の風上側でも軽減される。防風効果の大きい密な生垣の風下は、生垣の高さの１０〜１５倍の距離の間で上から下向きの強い乱流の発生があり、防風生垣と建物との距離には注意が必要である。施工上のポイントとしては、主に葉の細かい常緑樹のツゲなどを重ね植えし、１ｍに５〜６本の密度になるように植える。粗い生垣はその中に強風を通すことで、風速を弱める効果がある。粗い生垣の場合は密な生垣のような乱流は発生させず、安定した弱い風が期待できる。
【００４５】
（風の攪拌）
夏季においてもストレートな強い風にあたり続けるより、いわゆるそよ風の方が気持ちが良いものである。植栽でこれをすることは可能で、風の入り口側開口部の直前に裾の広がった落葉広葉樹か常緑広葉樹を植え、風の流れに上下の渦を発生させると、室内にはそよ風が流れるようになる。
【００４６】
＜雨、雲のコントロール＞
図９に示すように、樹木に降り注ぐ雨は、その全てが地表面に達するわけではない。降水量のうち、地表に届く量は樹木の種類によって変わり、水量の一年間の平均は針葉樹より広葉樹の方が多い。その理由は、針葉樹は鋭角の葉を多数持っているため、そのくぼみごとに水滴がたまるからである。宅地造成をするとのり面ができる。降水量の少ないときは、雨水は土壌の中に浸透し吸収されるが、激しい降雨のときは表面の土壌が流出する。のり面には地被類や低木などを植栽し、土壌の浸食や乾燥を防ぐと生態系の維持に役立つ。
【００４７】
積雪量が多く季節風が吹き抜ける地域にまちづくりを計画する場合、防雪のための植栽が大切である。防雪林の樹木は風速を弱めることによって、雪の吹き溜まりの位置やその量を調節することが可能である。水分の多いべた雪が大量に降る地域の植栽には雪害対策が必要である。樹種、樹形、樹高によって雪つりや雪囲いが有効である。
【００４８】
＜緑化による各種の環境コントロール＞
（大気の浄化）
図１０に示すように、植物は酸化作用と希釈作用によって大気汚染ガスをコントロールする。汚染された空気が植物の周辺を流れる時、酸素に富む空気と汚染された空気とが混合希釈される。植物は空気中に浮遊して風に舞うホコリや砂、チリ、煤煙、臭気などの不純物を除去する。
【００４９】
（ほこり対策）
計画隣地にほこりの立ちやすいグランドや道路などがある場合、植栽帯を設けたり、フェンスと生垣の組み合わせなどでほこりを防ぎ、住宅地の環境を守ることが好ましい。伝統的なまちには道路中央に水路があったり、家並みに沿って小さな用水路が流れていたりする風景をよく見かける。この水は生活用水や防水用水に利用する以外に、あまり知られていないが、ほこりを留めて流したり、冬季の乾燥した頃には周辺環境を調湿する働きも併せ持っている。
【００５０】
（光のコントロール）
自動車のヘッドライトが室内に差し込むことはかなり不快である。交通量の多い道路が住宅地に隣接している場合、常緑樹の植栽が必要である。また計画地内の道路がカーブをしていたり、Ｔ字路がある場合、以外と眩光防止の配慮を忘れがちである。
【００５１】
（プライバシーを守る）
生垣、高木、濯木、花ものなどの植物を複合的に使うことによって、外部からの視線を拡散させる。夜間は照明を使うことによって更に効果を上げることができ、プライベートゾーンをソフトに隠す工夫をする。
【００５２】
＜地形的環境特性（埋立地、原野、里山、林地、造成地）＞
最近のまちづくり開発の計画地素地には、次のようなケースが多くなっている。埋立地や原野のように樹木が一本もなく、新たに居住環境と自然環境を造る場合、もともとあった地形や植生を破壊して造成した宅地、里山や林地などの環境を活用したまちづくりなど、大きく分けて３通りある。
【００５３】
まちづくりの初期の素地は異なっても、最終的に周辺自然環境に同化し、良好な微気候の形成を考慮して緑化された街並みを開発するために、地形的な環境特性をどのように把握したらよいか、それぞれの地形について把握しなければならないポイントについて整理してみると、埋立地、原野、里山、林地、造成地を挙げることができる。なお、把握すべき環境特性は微気候環境、地象環境、地下水環境、生物環境、地盤形状が挙げられる。
【００５４】
＜立地環境ごとの緑化＞
（埋立地）
付近に熱容量の大きい水が多量にあるため、図１１に示すように、気温の日較差は少なく内陸部より温暖である。水面をわたってくる風はさえぎるものがなく、強風対策が必要である。地盤は強くなく、また常水面も高いため緑化には工夫が必要である。水鳥類の野鳥はかなり生息している場合が多い。まちづくりにあたっては、緑化を積極的に実施すると、樹林性の野鳥が増加する。埋立地の緑化にあたり考慮すべきポイントとしては、風害対策、塩害対策、湿害対策、土質対策、生物環境対策を挙げることができる。
【００５５】
（原野）
図１２に示すように、従来未利用であった原野は、基本的には気候条件や地盤状態は良好でないケースがある。地形や地質の影響で、水はけが悪いことが多い。生物環境としては、植生によって灌木を好む野鳥が生息している。原野の緑化にあたり考慮すべきポイントとしては、風害対策、雪害対策、湿害対策、低温対策、土質対策を挙げることができる。
【００５６】
（里山）
図１３に示すように、かって生活に必要な薪炭や堆肥などのために人為的に開発された丘陵地であり、集落に近いため気候条件は良好である。地盤・地質ともに悪い条件は少ない。また地下水の状況も地形から判断しやすい。生物環境は豊かである。緑化にあたり考慮すべきポイントとしては、植生調査、伐開注意点、陽光の過不足、冷熱源活用を挙げることができる。
【００５７】
（林地）
図１４に示すように、木材利用のために植林され、集落の周辺が多く、杉、檜などの針葉樹が多い。近年は枝払いや草刈りなどの手入れの状態が悪いケースが多く、微気候環境生物環境ともに好ましくないこともある。まちづくりにあたっては、風や日射環境を考慮して部分的に活用するとよい。緑化にあたり考慮すべきポイントとしては、林地活用、日射対策、湿害対策、緑化対策を挙げることができる。緑化対策においては、建物周辺にバランス良く落葉広葉樹を配置し、常緑針葉林地のマイナス面が居住環境に表れないよう、計画することが重要である。
【００５８】
（造成地）
図１５に示すように、ここ３０年ほどの期間につくられた造成地は、大規模な土木工事によって地形を変え、生態系を破壊してつくられてきたものが大半である。良好な微気候を形成するためには、緑化を積極的に行うとよい。それによって徐々にではあるが生態系がつくられ、年々野鳥も増加する。緑化にあたり考慮すべきポイントとしては、自然環境再生、風害対策、日射／熱対策を挙げることができる。
【００５９】
なお、この図１１〜図１５においては、地形的環境特性と夏／冬の微気候配慮のための整理項目として、埋立地、原野、里山、造成地を挙げ、夏と冬それぞれについて。プラス要素、マイナス要素を挙げて整理し、緑化との相関性を効果的に結合できるように、図表として例示してある。したがって、これらの図表を参照することで、緑化対策を的確に実施することができる。
【図面の簡単な説明】
【００６０】
【図１】本発明の実施形態に係るもので、これからのまちづくりの考え方を示す説明図。
【図２】本発明の実施形態に係るもので、まちづくりの緑化の考え方を図表で示す説明図。
【図３】本発明の実施形態に係るもので、まち外周の緑化を示す説明図。
【図４】本発明の実施形態に係るもので、宅内道路の緑化を示す説明図。
【図５】本発明の実施形態に係るもので、宅地内の緑化を示す説明図。
【図６】本発明の実施形態に係るもので、日射のコントロール例を示す説明図。
【図７】本発明の実施形態に係るもので、熱のコントロール例を示す説明図。
【図８】本発明の実施形態に係るもので、風のコントロール例を示す説明図。
【図９】本発明の実施形態に係るもので、雨、雪のコントロール例を示す説明図。
【図１０】本発明の実施形態に係るもので、緑化による各種の環境コントロール例を示す説明図。
【図１１】本発明の実施形態に係るもので、埋立地の緑化対策例（図表）を示す説明図。
【図１２】本発明の実施形態に係るもので、原野の緑化対策例（図表）を示す説明図。
【図１３】本発明の実施形態に係るもので、里山の緑化対策例（図表）を示す説明図。
【図１４】本発明の実施形態に係るもので、林地の緑化対策例（図表）を示す説明図。
【図１５】本発明の実施形態に係るもので、造成地の緑化対策例（図表）を示す説明図。
【符号の説明】
【００６１】
１  まちの外周
２  宅内道路
３  宅地
【図１】
2007104972.tif 000003
【図２】
2007104972.tif 000004
【図３】
2007104972.tif 000005
【図４】
2007104972.tif 000006
【図５】
2007104972.tif 000007
【図６】
2007104972.tif 000008
【図７】
2007104972.tif 000009
【図８】
2007104972.tif 000010
【図９】
2007104972.tif 000011
【図１０】
2007104972.tif 000012
【図１１】
2007104972.tif 000013
【図１２】
2007104972.tif 000014
【図１３】
2007104972.tif 000015
【図１４】
2007104972.tif 000016
【図１５】
2007104972.tif 000017